(57)【要約】【課題】製造コストの低減を図りつつ遊技機の種類毎に専用の意匠部材を使用可能とする。【解決手段】遊技機に用いられる意匠部材の駆動機構において、意匠部材が取り付けられる取付部と、遊技機の本体側に設けられ、駆動部材を回転駆動させる駆動部と、意匠部材側に設けられ、取付部に意匠部材が取り付けられた状態で駆動部材と係合して従動する従動部材を有し、駆動部材の回転駆動力を伝達して意匠部材を作動させる伝達機構と、を備え、取付部には、伝達機構が異なる複数種類の意匠部材のいずれかを取付可能である。【選択図】図１
2019136380.tif 000002
【特許請求の範囲】
【請求項１】
遊技機に用いられる意匠部材の駆動機構であって、
前記遊技機の本体側に設けられ、前記意匠部材が取り付けられる取付部と、
前記本体側に設けられ、駆動部材を回転駆動させる駆動部と、
前記意匠部材側に設けられ、前記取付部に前記意匠部材が取り付けられた状態で前記駆動部材と係合して従動する従動部材を有し、前記駆動部材の回転駆動力を伝達して前記意匠部材を作動させる伝達機構と、
を備え、
前記取付部には、前記伝達機構が異なる複数種類の前記意匠部材のいずれかを取付可能である
意匠部材の駆動機構。
【請求項２】
請求項１に記載の意匠部材の駆動機構であって、
前記取付部には、前記回転駆動力を回転作動に応じた作動力として伝達する前記伝達機構が設けられた前記意匠部材と、前記回転駆動力を回転作動以外の作動に応じた作動力に変換して伝達する前記伝達機構が設けられた前記意匠部材とを含む、複数種類の前記意匠部材が取付可能である
意匠部材の駆動機構。
【請求項３】
遊技機に用いられる意匠部材の駆動機構であって、
前記遊技機の本体側に設けられ、前記意匠部材が取り付けられる取付部と、
前記本体側に設けられ、駆動部材を回転駆動させる駆動部と、
を備え、
前記取付部には、該取付部への取り付けにより前記駆動部材と係合して従動する従動部材を有し前記駆動部材の回転駆動力を伝達する伝達機構が設けられ、前記伝達機構を介した駆動力の伝達を受けて作動可能な意匠部材と、前記伝達機構が設けられず前記駆動部を覆うように前記取付部に取り付けられる作動不能な意匠部材とのいずれかを取付可能である
意匠部材の駆動機構。
【請求項４】
請求項１ないし３のいずれか１項に記載の意匠部材の駆動機構であって、
前記伝達機構は、前記係合部材が前記意匠部材の裏側となる位置に設けられ、
前記意匠部材は、前記取付部に取り付けられた状態で前記駆動部を覆うと共に該意匠部材の裏側で前記係合部材が前駆駆動部材と係合する
意匠部材の駆動機構。
【発明の詳細な説明】
【技術分野】
【０００１】
本発明は、遊技機に用いられる意匠部材の駆動機構に関する。
【背景技術】
【０００２】
従来、この種の意匠部材の駆動機構としては、遊技機の機種名を示す文字やキャラクタなどの図形が描かれた表示プレートなどの意匠部材を作動させるものが提案されている（例えば、特許文献１参照）。この駆動機構では、意匠部材から突出する駆動軸（摺動軸）に設けられる円形ギヤと、遊技盤の支持枠に設けられ円形ギヤに噛合するラックギヤと、円形ギヤを回転駆動させるモータとを備え、モータを駆動させることによりラックギヤの延在方向に沿って意匠部材を直線状に移動させるものとしている。
【先行技術文献】
【特許文献】
【０００３】
【特許文献１】特開２０１７−２９８４３号公報
【発明の概要】
【発明が解決しようとする課題】
【０００４】
上述した意匠部材の駆動機構において、意匠部材を回転させるなど直線状の移動とは異なる作動態様で作動させる場合には、駆動機構を別の構成とする必要がある。即ち、このような駆動機構は、遊技機毎の専用の意匠部材の作動態様に応じて専用のものを用意することになるため、遊技機の製造コストの増加を招くものとなる。一方で、遊技機の種類に拘わらず駆動機構を共用化して意匠部材を同じものとすることもできるが、意匠部材の作動態様がマンネリ化してしまう。
【０００５】
本発明の意匠部材の駆動機構は、製造コストの低減を図りつつ遊技機の種類毎に専用の意匠部材を使用可能とすることを主目的とする。
【課題を解決するための手段】
【０００６】
本発明の意匠部材の駆動機構は、上述の主目的を達成するために以下の手段を採った。
【０００７】
本発明の第１の意匠部材の駆動機構は、
遊技機に用いられる意匠部材の駆動機構であって、
前記遊技機の本体側に設けられ、前記意匠部材が取り付けられる取付部と、
前記本体側に設けられ、駆動部材を回転駆動させる駆動部と、
前記意匠部材側に設けられ、前記取付部に前記意匠部材が取り付けられた状態で前記駆動部材と係合して従動する従動部材を有し、前記駆動部材の回転駆動力を伝達して前記意匠部材を作動させる伝達機構と、
を備え、
前記取付部には、前記伝達機構が異なる複数種類の前記意匠部材のいずれかを取付可能である
ことを要旨とする。
【０００８】
本発明の第１の意匠部材の駆動機構は、意匠部材が取り付けられる取付部と、駆動部材を回転駆動させる駆動部とが遊技機の本体側に設けられ、取付部に意匠部材が取り付けられた状態で駆動部材と係合して従動する従動部材を有し駆動部材の回転駆動力を伝達して意匠部材を作動させる伝達機構が意匠部材側に設けられる。また、取付部には、伝達機構が異なる複数種類の意匠部材のいずれかを取付可能である。これにより、複数種類の意匠部材において取付部と駆動部とを共用することができるから、専用の取付部や駆動部を設けるものに比べて部品を共通化して製造コストの低減を図ることができる。また、駆動部と取付部とを共用しつつ、遊技機の種類毎に作動態様の異なる専用の意匠部材を用いることができるから、装飾効果や演出効果を高めることができる。
【０００９】
本発明の第１の意匠部材の駆動機構において、前記取付部には、前記回転駆動力を回転作動に応じた作動力として伝達する前記伝達機構が設けられた前記意匠部材と、前記回転駆動力を回転作動以外の作動に応じた作動力に変換して伝達する前記伝達機構が設けられた前記意匠部材とを含む、複数種類の前記意匠部材が取付可能であるものとしてもよい。こうすれば、意匠部材の作動態様のバリエーションを増やして装飾効果や演出効果を高めることができる。
【００１０】
本発明の第２の意匠部材の駆動機構は、
前記意匠部材が取り付けられる取付部と、
前記遊技機の本体側に設けられ、駆動部材を回転駆動させる駆動部と、
を備え、
前記取付部には、該取付部への取り付けにより前記駆動部材と係合して従動する従動部材を有し前記駆動部材の回転駆動力を伝達する伝達機構が設けられ、前記伝達機構を介した駆動力の伝達を受けて作動可能な意匠部材と、前記伝達機構が設けられず前記駆動部を覆うように前記取付部に取り付けられる作動不能な意匠部材とのいずれかを取付可能である
ことを要旨とする。
【００１１】
本発明の第２の意匠部材の駆動機構は、意匠部材が取り付けられる取付部と、駆動部材を回転駆動させる駆動部とが遊技機の本体側に設けられ、取付部には、作動可能な意匠部材と作動不能な意匠部材とのいずれかを取付可能である。作動可能な意匠部材は、取付部への取り付けにより駆動部材と係合して従動する従動部材を有し駆動部材の回転駆動力を伝達する伝達機構が設けられ、伝達機構を介した駆動力の伝達を受けて作動可能である。また、作動不能な意匠部材は、伝達機構が設けられず駆動部を覆うように取付部に取り付けられる。これにより、作動可能な意匠部材と作動不能な意匠部材のいずれが取り付けられる遊技機であって、取付部を共用することができるから、専用の取付部を設けるものに比べて部品を共通化して製造コストの低減を図ることができる。また、作動不能な意匠部材であっても駆動部を覆って遊技者から視認できないようにするから、作動可能な意匠部材や作動不能な意匠部材を遊技機の種類毎に専用のものとした場合でも、駆動部が露出することにより装飾効果が低下するのを防止することができる。したがって、製造コストの低減を図りつつ遊技機の種類毎に専用の意匠部材を使用可能とすることができる。
【００１２】
本発明の第１および第２の意匠部材の駆動機構において、前記伝達機構は、前記係合部材が前記意匠部材の裏側となる位置に設けられ、前記意匠部材は、前記取付部に取り付けられた状態で前記駆動部を覆うと共に該意匠部材の裏側で前記係合部材が前駆駆動部材と係合するものとしてもよい。こうすれば、取り付けられる意匠部材の種類に拘わらず駆動部が露出するのを抑えて遊技者から視認できないようにすることができる。このため、部品を共通化して製造コストの低減を図るものとした場合に、装飾効果が低下するのを防止することができる。
【発明の効果】
【００１３】
本発明の第１および第２の意匠部材の駆動機構によれば、製造コストの低減を図りつつ遊技機の種類毎に専用の意匠部材を使用可能とすることができる。
【図面の簡単な説明】
【００１４】
【図１】意匠部材４０Ａが取り付けられた遊技機１Ａの構成図である。
【図２】意匠部材４０Ａが取り付けられる前の遊技機１Ａの構成図である。
【図３】駆動機構３０Ａの構成図である。
【図４】意匠部材４０Ａの正面図である。
【図５】意匠部材４０Ａの裏面図である。
【図６】駆動機構３０Ａと意匠部材４０Ａを側方から見た内部構成図である。
【図７】意匠部材４０Ａの作動の様子を示す説明図である。
【図８】意匠部材４０Ｂが取り付けられた遊技機１Ｂの構成図である。
【図９】意匠部材４０Ｂの正面図である。
【図１０】意匠部材４０Ｂの裏面図である。
【図１１】意匠部材４０Ｂと駆動機構３０Ｂの構成図である。
【図１２】意匠部材４０Ｂと駆動機構３０Ｂの構成図である。
【図１３】意匠部材４０Ｂの作動の様子を示す説明図である。
【図１４】意匠部材４０Ｃが取り付けられた遊技機１Ｃの構成図である。
【図１５】意匠部材４０Ｃの正面図である。
【図１６】意匠部材４０Ｃの裏面図である。
【発明を実施するための形態】
【００１５】
次に、本発明を実施するための形態について説明する。
【００１６】
図１は意匠部材４０Ａが取り付けられた遊技機１Ａの構成図であり、図２は意匠部材４０Ａが取り付けられる前の遊技機１Ａの構成図である。また、図３は駆動機構３０Ａの構成図であり、図４は意匠部材４０Ａの正面図であり、図５は意匠部材４０Ａの裏面図であり、図６は駆動機構３０Ａと意匠部材４０Ａを側方から見た内部構成図である。なお、図６では、一部の構成を図４のＡ−Ａ断面図で示す。なお、意匠部材４０Ａが取り付けられた機種Ａの遊技機１を遊技機１Ａという。
【００１７】
遊技機１Ａは、図１に示すように、略長方形状の本体２と、本体２の前面中央に設けられ遊技球が流下可能な遊技領域を有する遊技盤３と、遊技盤３の上方に設けられ種々の効果音や報知音を出力するスピーカ４と、遊技盤３の下方に設けられ遊技球を貯留する上受け皿５および下受け皿６と、上受け皿５に貯留されている遊技球を遊技盤３へ発射するための発射ハンドル７と、上受け皿５の中央に設けられ遊技者によるボタン操作が可能な操作ボタン８と、を備える。また、本体２の前面には、遊技盤３を取り囲むように装飾枠２０が設けられている。装飾枠２０は、本体２の上部中央に設けられる中央枠部材２２と、スピーカ４が埋設され中央枠部材２２の左右両側に対になって設けられる上部枠部材２４と、遊技盤３の中央から下部にかけて左右両側に対になって設けられる下部枠部材２６とにより構成されている。また、中央枠部材２２の下部中央には略円形状の開口部２２ａが設けられており、その開口部２２ａ内における本体２に駆動機構３０Ａが設けられ（図２参照）、その駆動機構３０Ａの後述する取付部３１に意匠部材４０Ａが取り付けられている（図１参照）。
【００１８】
遊技盤３は、遊技領域の右下部に配置された図柄表示装置１１と、遊技領域の中央に配置され各種演出画像を表示する液晶表示装置１２と、液晶表示装置１２の下方に配置され遊技球が入球可能な第１始動口（固定始動口）１３と、第１始動口１３の下方に開閉可能に配置され遊技球が入球可能な第２始動口（可変始動口）１４と、液晶表示装置１２の右下に開閉可能に配置され遊技球が入球可能な大入賞口１５と、遊技領域の下方まで流下した遊技球を回収するためのアウト口１６と、が設けられている。
【００１９】
遊技機１Ａは、第１始動口１３や第２始動口１４への遊技球の入球に伴い、図柄表示装置１１で特別図柄の変動表示を行い、特別図柄の変動表示の終了に伴い特別図柄が大当り図柄で停止表示されると、大入賞口１５を開放する大当り遊技を実行するパチンコ機として構成されている。また、遊技機１Ａは、特別図柄の変動表示中に、液晶表示装置１２で演出図柄を変動表示させ、特別図柄が大当り図柄で停止表示される場合には演出図柄を当り図柄で停止表示させ、特別図柄が外れ図柄で停止表示される場合には演出図柄を外れ図柄で停止表示させる図柄変動演出を行う。図柄変動演出では、演出図柄の変動表示を伴ってリーチ演出や予告演出などが行われる他、操作ボタン８を用いたボタン操作演出や意匠部材４０Ａなど遊技機１Ａに取り付けられた意匠部材を作動させる作動演出などが行われ、これらの演出によって特別図柄が大当り図柄（演出図柄が当り図柄）で停止表示される可能性を遊技者に示唆する。以下、駆動機構３０Ａと意匠部材４０Ａの詳細を説明する。
【００２０】
駆動機構３０Ａは、本体２に固定され意匠部材４０Ａが取り付けられる底付きの略円筒形状の取付部３１と、取付部３１の円形状の底部３１ａに固定され出力軸に駆動ギヤ３３が取り付けられた駆動モータ３２と、駆動モータ３２の駆動ギヤ３３から中間ギヤ３４を介して伝達された回転駆動力を出力する出力ギヤ３５とが、本体２側に設けられている。なお、図３では、駆動機構３０Ａの構成のうち、本体２側に設けられる構成を実線で示し、本体２側以外（意匠部材４０Ａの裏側）に設けられる構成を点線で示す。取付部３１は、底部３１ａの縁から前方に延在する円環状の周壁部３１ｂを有する。周壁部３１ｂは、一部の円弧が上部で途切れた形状となっている。周壁部３１ｂが途切れた箇所を含む略扇状の部分では、底部３１ａの前方への高さ（厚み）が一段高く形成された段差部３１ｃとなっており、この段差部３１ｃに中間ギヤ３４と出力ギヤ３５が軸支されている。
【００２１】
また、駆動機構３０Ａは、意匠部材４０Ａの裏側にも機構の一部が設けられている。意匠部材４０Ａの裏側には、意匠部材４０Ａが取付部３１に取り付けられた状態で出力ギヤ３５に噛合（係合）する従動ギヤ３６と、意匠部材４０Ａの回転部材４５に同心円上に設けられ従動ギヤ３６に噛合する内歯を有するリングギヤ３７と、が設けられている。従動ギヤ３６には、取付部３１の段差部３１ｃ側に突出する検知片３６ａが設けられ、段差部３１ｃには検知片３６ａを検知可能な検知センサ３９が取り付けられている。
【００２２】
意匠部材４０Ａは、円形状の意匠板４１と、意匠板４１の裏面に設けられた嵌め込み部４２と、意匠板４１の前面に固定される円環状の押さえプレート４３と、外周部が部分的に羽根状に延在するように形成された回転部材４５と、を備える。意匠板４１は、前面に機種名などを示す文字（Ａ）や図形（例えば丸や星など）、記号、模様などの装飾が施され、裏面に従動ギヤ３６が軸支されている。意匠板４１は、周方向に９０度間隔となる上下左右の４箇所のうち上方を除いた３箇所に貫通孔４１ａが形成されると共に残り１箇所にネジ孔４１ｂが形成されている。嵌め込み部４２は、樹脂などの弾性を有する部材で周壁部３１ｂの内側に嵌め込まれた形状に形成されると共に、周壁部３１ｂと同様に一部の円弧が上部で途切れた形状となっている。押さえプレート４３は、意匠板４１の貫通孔４１ａとネジ孔４１ｂとにそれぞれ連通可能な４つの座繰り孔４３ａが形成されている。意匠板４１の外周壁は、押さえプレート４３が取り付けられることにより断面視で凹状部が形成される（図６参照）。回転部材４５は、意匠板４１の外径よりも若干大きな内径の円形状の開口部４５ａが形成されており、その内周壁には、意匠板４１の外周壁の凹状部に係合可能な凸状部が形成されている（図６参照）。
【００２３】
意匠部材４０Ａは、作業者等により次のようにして遊技機１Ａ（駆動機構３０Ａの取付部３１）に取り付けられる。まず、各貫通孔４１ａが取付部３１の周壁部３１ｂの先端面に形成された３つのネジ孔３１ｄにそれぞれ連通するように嵌め込み部４２が周壁部３１ｂの内側に嵌め込まれることで、意匠板４１が取付部３１に取り付けられる。このとき、意匠板４１の裏側の従動ギヤ３６が出力ギヤ３５と噛合すると共に従動ギヤ３６の検知片３６ａが検知センサ３９の検知範囲に収まるように、従動ギヤ３６の回転位置が調整される。なお、検知センサ３９は、従動ギヤ３６の多少の回転により検知片３６ａが位置ずれしても、検知片３６ａが外れない検知範囲をもつように構成されている。次に、取付部３１に取り付けられた意匠板４１を回転部材４５の開口部４５ａに収めると共に従動ギヤ３６にリングギヤ３７が噛合しつつ、図４に示す初期位置となるように回転部材４５を意匠板４１に嵌め合わせる。続いて、座繰り孔４３ａが貫通孔４１ａやネジ孔４１ｂに連通するように押さえプレート４３を意匠板４１に取り付けた状態で、ネジ４４ａを座繰り孔４３ａと貫通孔４１ａとを通して取付部３１のネジ孔３１ｄに締結すると共にネジ４４ｂを座繰り孔４３ａを通して意匠板４１のネジ孔４１ｂに締結する。これにより、押さえプレート４３が意匠板４１に組み付けられると共に抑えプレート４３と意匠板４１とが一体的に取付部３１に固定される。また、押さえプレート４３が意匠板４１と一体になることで意匠板４１の外周壁に上述した凹状部が形成され、その凹状部に回転部材４５の内周壁の凸状部が周方向に摺動可能に支持されて、回転部材４５の回転作動が可能となる。また、意匠部材４０Ａが取付部３１に取り付けられた状態では、意匠板４１の裏側の従動ギヤ３６が本体２側の出力ギヤ３５に噛合すると共に回転部材４５の裏側に設けられたリングギヤ３７に噛合するものとなる。また、意匠部材４０Ａは、駆動機構３０Ａの取付部３１や駆動モータ３２を覆うものとなる。
【００２４】
こうして構成された意匠部材４０Ａの作動について説明する。図７は意匠部材４０Ａの作動の様子を示す説明図である。駆動機構３０Ａは、意匠部材４０Ａが駆動機構３０Ａの取付部３１に取り付けられた状態で、出力ギヤ３５と従動ギヤ３６とリングギヤ３７とが噛合するため、駆動モータ３２の回転駆動力を駆動ギヤ３３、中間ギヤ３４、出力ギヤ３５、従動ギヤ３６を順に介してリングギヤ３７へ伝達可能となる。即ち、駆動モータ３２の回転駆動力によりリングギヤ３７と共に回転部材４５を回転させることができる。このように、回転部材４５が回転作動する作動態様で意匠部材４０Ａ（回転部材４５）を作動させるものとなる（図７（ａ）〜（ｃ））。
【００２５】
ここで、本実施形態では、駆動機構３０Ａの本体２側に設けられる構成要素を機種Ａとは別の機種Ｂの遊技機１（遊技機１Ｂという）に設け、意匠部材４０Ａに代えて異なる作動態様で作動可能な意匠部材を取付部３１に取付可能となっている。図８は意匠部材４０Ｂが取り付けられた遊技機１Ｂの構成図であり、図９は意匠部材４０Ｂの正面図であり、図１０は意匠部材４０Ｂの裏面図であり、図１１，図１２は意匠部材４０Ｂと駆動機構３０Ｂの構成図である。なお、図１１は意匠部材４０Ｂが退避位置（初期位置）にある状態を示し、図１２は意匠部材４０Ｂが作動位置にある状態を示す。遊技機１Ｂは、遊技機１Ａと異なる機種であり遊技盤３における各構成要素の配置や遊技性などが異なるが、共通する構成要素については同じ符号を付し、その詳細な説明を省略する。なお、遊技機１Ｂは、遊技機１Ａに対し、例えば装飾枠２０（中央枠部材２２、上部枠部材２４、下部枠部材２６）の全てやその一部を異なる構成としたり、色彩や模様などの装飾の全てやその一部を異なるものなどとしてもよい。
【００２６】
意匠部材４０Ｂは、円形状の意匠板１４１と、意匠板１４１の裏面に嵌め込み部４２と同じ形状に設けられた嵌め込み部１４２と、半円形状の２つの回動板１４５ａ，１４５ｂを有する回動部材１４５と、意匠板１４１の上部から延在するように扇状に形成された扇板１４７と、を備える。意匠板１４１は、前面に機種名などを示す文字（Ｂ）や図形、記号、模様などの装飾が施され、従動ギヤ３６と同様に出力ギヤ３５と噛合可能な従動ギヤ１３６が裏面に軸支されている。意匠板１４１は、周方向に９０度間隔となる上下左右の４箇所のうち上方を除いた３箇所にネジ孔３１ｄと連通可能な座繰り孔１４１ａが形成されている。回動部材１４５は、半円形状の２つの回動板１４５ａ，１４５ｂが回動により作動位置に移動することで組み合わされて１つの円を形成するものであり、各回動板１４５ａ，１４５ｂに文字や図形、記号、模様などの装飾が施されている。本実施形態では、回動部材１４５が１つの円を形成した状態で所定の文言（例えば「激熱」）となる文字の右半分が回動板１４５ａに形成され、左半分が回動板１４５ｂに形成されている。
【００２７】
駆動機構３０Ｂは、本体２側に設けられる構成、即ち取付部３１と駆動モータ３２と駆動ギヤ３３と中間ギヤ３４と出力ギヤ３５とが、遊技機１Ａの駆動機構３０Ａと同じ構成となっている。また、駆動機構３０Ｂは、意匠部材４０Ｂの意匠板１４１の裏面に設けられた従動ギヤ１３６と、各回動板１４５ａ，１４５ｂの回動中心側にそれぞれ設けられ互いに噛合する連結ギヤ１３８ａ，１３８ｂと、一端が従動ギヤ１３６の回転軸に対して偏心した位置に回動可能に取り付けられると共に他端が連結ギヤ１３８ｂの回転軸に対して偏心した位置に回動可能に取りつけられたアーム部材１３７と、を備える。従動ギヤ１３６には、検知片１３６ａが設けられている。
【００２８】
意匠部材４０Ｂの取り付けは、まず、各座繰り孔１４１ａが取付部３１の３つのネジ孔３１ｄにそれぞれ連通するように嵌め込み部１４２が周壁部３１ｂの内側に嵌め込まれる。なお、意匠部材４０Ｂは、従動ギヤ１３６が出力ギヤ３５と噛合し且つ図１１に示す退避位置（初期位置）で検知片１３６ａが検知センサ３９の検知範囲に収まるように組み立てられている。次に、ネジ１４４ａを座繰り孔１４１ａを通してネジ孔３１ｄに締結する。これにより、意匠部材４０Ｂが取付部３１に固定される。このため、意匠部材４０Ｂは、駆動機構３０Ｂの取付部３１や駆動モータ３２を覆うものとなる。
【００２９】
こうして構成された意匠部材４０Ｂの作動について説明する。図１３は意匠部材４０Ｂの作動の様子を示す説明図である。駆動機構３０Ｂは、従動ギヤ１３６を図１１中の時計回りに回動させることでアーム部材１３７を図中下側へ引き込むことにより回動板１４５ａを連結ギヤ１３８ａの回転軸を中心に反時計回りに回動させると共に、連結ギヤ１３８ａ，１３８ｂの噛合を介して回動板１４５ｂを連結ギヤ１３８ａの回転軸を中心に時計回りに回動させる。これにより、回動板１４５ａ，１４５ｂが連動しながら互いに近付くように回動して作動位置まで移動し、互いに組み合わされて１つの円を形成する（図１２，図１３参照）。また、駆動機構３０Ｂは、従動ギヤ１３６を図１２中の反時計回りに回動させることでアーム部材１３７を図中上側へ押し出すことにより回動板１４５ａを連結ギヤ１３８ａの回転軸を中心に時計回りに回動させると共に、連結ギヤ１３８ａ，１３８ｂの噛合を介して回動板１４５ｂを連結ギヤ１３８ｂの回転軸を中心に反時計回りに回動させる。これにより、回動板１４５ａ，１４５ｂが連動しながら互いに離間するように回動し、扇板１４７の裏側に退避する退避状態とする（図１０，図１１参照）。この駆動機構３０Ｂは、意匠部材４０Ｂが取付部３１に取り付けられた状態で出力ギヤ３５と従動ギヤ１３６とが噛合することで、駆動モータ３２の回転駆動力を、駆動ギヤ３３、中間ギヤ３４、出力ギヤ３５、従動ギヤ１３６を回転させ、アーム部材１３７により従動ギヤ１３６の回転運動を直線運動に一旦変換し、さらに連結ギヤ１３８ａ，１３８ｂにより互いに異なる方向に回転板１４５ａ，１４５ｂが回動するように伝達する。したがって、駆動モータ３２を駆動させることにより、回動部材１４５の回動板１４５ａ，１４５ｂが互いに異なる方向に回動する作動態様で意匠部材４０Ｂ（回動部材１４５）を作動させることができる。このように、駆動機構３０Ｂは、従動ギヤ１３６から各回動板１４５ａ，１４５ｂに駆動力を伝達する構成（アーム部材１３７および連結ギヤ１３８ａ，１３８ｂ）が、駆動機構３０Ａにおいて従動ギヤ３６から回動部材１４５に駆動力を伝達する構成（リングギヤ１３７）と異なるものとなっている。
【００３０】
さらに、本実施形態では、駆動機構３０Ａの本体２側に設けられる構成要素を別の機種Ｃの遊技機１（遊技機１Ｃという）に設け、意匠部材４０Ａや意匠部材４０Ｂのような作動可能な意匠部材に代えて作動不能な意匠部材を取付部３１に取付可能となっている。図１４は意匠部材４０Ｃが取り付けられた遊技機１Ｃの構成図であり、図１５は意匠部材４０Ｃの正面図であり、図１６は意匠部材４０Ｃの裏面図である。遊技機１Ｃにおいても、遊技機１Ａと共通する構成要素については同じ符号を付し、その詳細な説明を省略する。
【００３１】
意匠部材４０Ｃは、前面に機種名などを示す文字（Ｃ）や図形、記号、模様などの装飾が施された六角形状の意匠板２４１と、意匠板２４１の裏面に嵌め込み部４２と同じ形状に設けられた嵌め込み部２４２と、を備える。ただし、意匠部材４０Ｃは作動可能な部材を備えないため、意匠板２４１の裏面に従動ギヤや駆動力を伝達する機構などは設けられていない。意匠板２４１は、周方向に９０度間隔となる上下左右の４箇所のうち上方を除いた３箇所にネジ孔３１ｄと連通可能な座繰り孔２４１ａが形成されている。
【００３２】
この意匠部材４０Ｃは、各座繰り孔２４１ａが取付部３１の３つのネジ孔３１ｄにそれぞれ連通するように、嵌め込み部２４２が周壁部３１ｂの内側に嵌め込まれて、取付部３１に取り付けられる。次に、ネジ２４４ａを座繰り孔２４１ａを通してネジ孔３１ｄに締結する。これにより、意匠部材４０Ｃ（意匠板２４１）が取付部３１に固定される。このため、意匠部材４０Ｃは、取付部３１や駆動モータ３２を覆うものとなる。意匠部材４０Ｃは作動しないものの、取付部３１や駆動モータ３２を覆って正面から視認できないようにすることで遊技機１Ｃの意匠性が損なわれるのを防止することができる。このように、作動可能な意匠部材（４０Ａ，４０Ｂ）と作動不能な意匠部材（４０Ｃ）とを共通の取付部３１を用いて取り付けることができる。
【００３３】
以上説明した本実施形態の意匠部材４０Ａ，４０Ｂの駆動機構３０Ａ，３０Ｂでは、意匠部材４０Ａ，４０Ｂが取り付けられる取付部３１と、出力ギヤ３５を回転駆動させる駆動モータ３２とが本体２側に設けられる。意匠部材４０Ａは、取付部３１に取り付けられた状態で出力ギヤ３５と噛合する従動ギヤ３６を有し、駆動モータ３２（出力ギヤ３５）の回転駆動力を回転部材４５が回転作動するように伝達する。また、意匠部材４０Ｂは、取付部３１に取り付けられた状態で出力ギヤ３５と噛合する従動ギヤ１３６を有し、駆動モータ３２の回転駆動力を２つの回動板１４５ａ，１４５ｂが互いに異なる方向に回動するように伝達する。これにより、意匠部材４０Ａ，４０Ｂにおいて取付部３１と駆動モータ３２（出力ギヤ３５）とを共用することができるから、専用の取付部や駆動モータを設けるものに比べて部品を共通化して製造コストの低減を図ることができる。また、機種毎に作動態様の異なる専用の意匠部材（４０Ａ，４０Ｂ）を用いることができるから、取付部３１や駆動モータ３２（出力ギヤ３５）を複数の機種において流用可能としつつ機種毎の装飾効果や演出効果を高めることができる。
【００３４】
また、意匠部材４０Ａは、従動ギヤ３６と、従動ギヤ３６に噛合するリングギヤ３７とを介して、駆動モータ３２の回転駆動力を回転部材４５が回転するように伝達する。意匠部材４０Ｂは、従動ギヤ１３６と、従動ギヤ１３６の回動を直線運動に変換するアーム部材１３７と、アーム部材１３７の直線運動により連動して回動する連結ギヤ１３８ａ，１３８ｂとを介して、駆動モータ３２の回転駆動力を回動板１４５ａ，１４５ｂが回動するように伝達する。このため、意匠部材の作動態様のバリエーションを増やして装飾効果や演出効果を高めることができる。また、意匠部材４０Ａ，４０Ｂは、取付部３１に取り付けられた状態で駆動モータ３２（出力ギヤ３５）を覆うと共に裏側で従動ギヤ３６，１３６が出力ギヤ３５と噛合するから、意匠部材の種類に拘わらず駆動モータ３２などが露出するのを抑えて、意匠性が損なわれるのを防止することができる。また、作動可能な意匠部材４０Ａ，４０Ｂと、作動不能な意匠部材４０Ｃとのいずれが取り付けられるものでも、取付部３１を共用することができるから、専用の取付部を設けるものに比べて部品を共通化して製造コストの低減を図ることができる。
【００３５】
本実施形態では、意匠部材の作動態様として回転部材４５の回転や回動部材１４５（回動板１４５ａ，１４５ｂ）の回動の２つを例示したが、これに限られず、他の作動態様としてもよい。例えば、意匠部材が、出力ギヤ３５に噛合する従動ギヤと、従動ギヤに噛合すると共に作動部材に設けられたラックギヤとを有し、駆動モータ３２の回転駆動力を従動ギヤとラックギヤとにより直線運動に変換して、作動部材を直線運動させるものなどとしてもよい。
【００３６】
本実施形態では、駆動モータ３２により駆動部材（出力ギヤ３５）を回転駆動させるものとしたが、駆動モータに限られずソレノイドなどを用いてもよいし、出力ギヤに限られずカム部材などの駆動力を出力可能な部材を回転駆動させるものであればよい。
【００３７】
本実施形態では、作動態様の異なる２つの意匠部材４０Ａ，４０Ｂと、作動不能な意匠部材４０Ｃとのうちいずれかを取付部３１に取り付け可能としたが、これに限られるものではない。例えば、作動態様の異なる複数種類の意匠部材のいずれかを取付部３１に取付可能なものであればよいし、あるいは、作動可能な意匠部材と作動不能な意匠部材とのいずれかを取付部３１に取付可能なものであればよい。また、作動不能な意匠部材も一種類に限られず、複数種類の作動不能な意匠部材のいずれかを取付可能などとしてもよい。
【００３８】
本実施形態では、意匠部材４０Ａ，４０Ｂ，４０Ｃが取付部３１に取り付けられた状態で駆動モータ３２や出力ギヤ３５などの駆動部を覆うものとしたが、これに限られず、駆動部の一部が覆われずに露出するものなどとしてもよい。
【００３９】
本実施形態では、意匠部材４０Ａ，４０Ｂ，４０Ｃが装飾枠２０内に設けられるものとしたが、これに限られず、操作ボタン（演出ボタン）８などの他の部材としてもよい。例えば、操作ボタン８を複数種類の作動態様で作動可能に構成し、共通の駆動部と取付部とが本体２側に設けられ、操作ボタン８の裏側にそれぞれ異なる伝達機構が設けられるものなどとしてもよい。
【００４０】
また、本発明をパチンコ機１に適用するものとしたが、これに限定されるものではなく、パチンコ機以外の遊技機、例えばスロットマシンやスロットマシンとパチンコ機との融合機、その他の遊技機に本発明を適用してもよい。
【００４１】
本実施形態の主要な要素と課題を解決するための手段の欄に記載した発明の主要な要素との対応関係について説明する。本実施形態では、意匠部材４０Ａ，４０Ｂ，４０Ｃが「意匠部材」に相当し、取付部３１が「取付部」に相当し、駆動ギヤ３３が「駆動部材」に相当し、駆動モータ３２が「駆動部」に相当し、従動ギヤ３６，１３６が「従動部材」に相当し、従動ギヤ３６とリングギヤ３７との組み合わせと従動ギヤ１３６とアーム部材１３７と連結ギヤ１３８ａ，１３８ｂとの組み合わせがそれぞれ「伝達機構」に相当する。また、意匠部材４０Ａ，４０Ｂが「伝達機構が異なる複数種類の意匠部材」と「作動可能な意匠部材」に相当し、意匠部材４０Ｃが「作動不能な意匠部材」に相当する。
【００４２】
以上、本発明の実施の形態について説明したが、本発明はこうした実施形態に何等限定されるものではなく、本発明の要旨を逸脱しない範囲内において、種々なる形態で実施し得ることは勿論である。
【符号の説明】
【００４３】
１Ａ，１Ｂ，１Ｃ  遊技機、２  本体、３  遊技盤、４  スピーカ、５  上受け皿、６  下受け皿、７  発射ハンドル、８  操作ボタン、１１  図柄表示装置、１２  液晶表示装置、１３  第１始動口、１４  第２始動口、１５  大入賞口、１６  アウト口、２０  装飾枠、２２  中央枠部材、２２ａ  開口部、２４  上部枠部材、２６  下部枠部材、３０Ａ，３０Ｂ  駆動機構、３１  取付部、３１ａ  底部、３１ｂ  周壁部、３１ｃ  段差部、３１ｄ  ネジ孔、３２  駆動モータ、３３  駆動ギヤ、３４  中間ギヤ、３５  出力ギヤ、３６，１３６  従動ギヤ、３６ａ，１３６ａ  検知片、３７  リングギヤ、３９  検知センサ、４０Ａ，４０Ｂ，４０Ｃ  意匠部材、４１，１４１，２４１  意匠板、４１ａ  貫通孔、４１ｂ  ネジ孔、４２，１４２，２４２  嵌め込み部、４３  押さえプレート、４３ａ  座繰り孔、４４ａ，４４ｂ，１４４ａ，２４４ａ  ネジ、４５  回転部材、４５ａ  開口部、１３７  アーム部材、１３８ａ，１３８ｂ  連結ギヤ、１４５  回動部材、１４５ａ，１４５ｂ  回動板、１４１ａ，２４１ａ  座繰り孔、１４７  扇板。
【図１】
2019136380.tif 000003
【図２】
2019136380.tif 000004
【図３】
2019136380.tif 000005
【図４】
2019136380.tif 000006
【図５】
2019136380.tif 000007
【図６】
2019136380.tif 000008
【図７】
2019136380.tif 000009
【図８】
2019136380.tif 000010
【図９】
2019136380.tif 000011
【図１０】
2019136380.tif 000012
【図１１】
2019136380.tif 000013
【図１２】
2019136380.tif 000014
【図１３】
2019136380.tif 000015
【図１４】
2019136380.tif 000016
【図１５】
2019136380.tif 000017
【図１６】
2019136380.tif 000018